(57)【要約】【課題】携帯機本体にキーが着脱可能に設けられた携帯機において、携帯機の厚さを最小限にすると共に、携帯機の電波発信性能を向上し、更には、携帯機から取り出されたキーの良好な操作性を確保すること。【解決手段】本発明は、細長い先端部２８、及び、先端部２８の長手方向に垂直な方向に所定の幅を有する頭部３４を備えたキー３０と、キー３０に組み付けられ、略リング状の線材から形成されるリング３８と、無線信号を発信する送信部１４を備え、所定の厚みを有する携帯機本体１２とを有する携帯機１０であって、キー３０が、その頭部３４の幅方向が携帯機本体１２の厚み方向に対応するように、携帯機本体１２に対して取り外し可能に装着されており、キー３０が携帯機本体１２から取り外された状態において、リング３８は、該リング３８の一部がキー３０の頭部３４を越えて該頭部３４の幅方向に延在した状態で、キー３０に対して保持されていることを特徴とする。【選択図】        図１
2004278182.tif 000002
【特許請求の範囲】
【請求項１】
細長い先端部、及び、前記先端部の長手方向に垂直な方向に所定の幅を有する頭部を備えたキーと、
前記キーに組み付けられ、略リング状の線材から形成されるリングと、
無線信号を発信する送信部を備え、所定の厚みを有する携帯機本体とを有する携帯機であって、
前記キーが、その頭部の幅方向が前記携帯機本体の厚み方向に対応するように、前記携帯機本体に対して取り外し可能に装着されており、
前記キーが前記携帯機本体から取り外された状態において、前記リングは、該リングの一部が前記キーの頭部を越えて該頭部の幅方向に延在した状態で、前記キーに対して保持されていることを特徴とする、携帯機。
【請求項２】
前記キーの頭部には、前記先端部の長手方向に沿って所定長さの長穴が形成されており、
前記リングは、略リング状の線材の両端部を前記長穴の所定長さよりも大きい距離だけ互いに離反させることにより形成されており、
前記キーが前記携帯機本体から取り外された状態において、前記リングの両端部が前記長穴の前記長手方向の両端にそれぞれ保持されている、請求項１記載の携帯機。
【請求項３】
前記キーが前記携帯機本体に装着された状態において、前記リングは、少なくとも前記携帯機本体内に部分的に格納されており、
前記携帯機本体には、前記リングの両端部が前記長穴内で互いに近接するように、前記リングを前記携帯機本体内へと案内するガイド部が形成されている、請求項２記載の携帯機。
【請求項４】
前記キーの頭部の所定の幅が、前記携帯機本体の所定の厚みと略等しい、請求項１乃至３のうちの何れか１項の携帯機。
【請求項５】
前記キーが前記携帯機本体に装着された状態において、前記キーの頭部が、前記携帯機本体に形成された凹部に嵌合している、請求項１乃至４のうちの何れか１項の携帯機。
【発明の詳細な説明】
【０００１】
【発明の属する技術分野】
本発明は、携帯機本体にキーが着脱可能に設けられた携帯機に関する。
【０００２】
【従来の技術】
従来から、携帯機のスイッチを操作することにより当該携帯機から発信されるワイヤレス信号を車両側で受信し、車両のドアロックの施錠又は解錠を行うキーレスエントリシステムが知られている。このようなキーレスエントリシステムにおいては、携帯機に一体化されたキーをイグニッションシリンダーに差し込み回転させることで、エンジンの始動が実現される。
【０００３】
一方、近年では、車両に搭載される送受信装置と携帯機との間で微弱電波により双方向通信を行い、携帯機のＩＤコードを確認することにより正当なユーザの車両への接近を検出し、ドアアウターハンドルの操作の検出と同時に車両のドアロックを解錠するスマートキーシステムが提案されている。このスマートキーシステムでは、ユーザがドア開閉後に運転席に着座した際にも通信が行われ、携帯機の正当なＩＤコードを確認することで、イモビライザ機能の解除及びステアリングロックのロック解除が実行される。その後、ユーザは、携帯機（キー）をイグニッションシリンダーに差し込むことなく、ダイヤルスイッチ等を手動操作してイグニッションスイッチをオンにし、エンジンを始動することができる。更に、このスマートキーシステムでは、ユーザがイグニッションスイッチをオフにしドア開閉後に車両から離れる際にも通信が行われ、正当なＩＤコードを持つ携帯機の離間を検出することで、上述の各種装置をロック状態にする。このように、スマートキーシステムでは、ユーザが携帯機を所持していれば、携帯機による各種操作が不要となる。
【０００４】
ところで、このようなスマートキーシステムにおいても、携帯機の電源が切れた場合等には、通常的なキーを使用してドアロックの解除やエンジンの始動等を行う必要が生ずるため、携帯機には非常用のキーが一体的に設けられている。
【０００５】
ここで、キーレスエントリシステムにおいて使用される従来の携帯機として、携帯機本体にキーが着脱可能に設けられた携帯機が知られている（例えば、特許文献１参照）。この従来の携帯機によれば、キーの先端が携帯機本体の外に突出しているため、キーを携帯機本体から脱離させることなく、キーを使用することができる一方で、キーを携帯機本体から脱離させることで、当該キーを通常的なスペアキーとして使用することができる。
【０００６】
【特許文献１】
特開平８−１６５８２３号公報
【０００７】
【発明が解決しようとする課題】
ところで、キーが着脱可能な携帯機においては、上述の如く、キーが携帯機本体から取り出されて使用される場合がある。このため、キーの頭部は、ユーザが指で摘んで回転操作する際の操作性の観点から、ある一定以上の操作面積及び幅方向の寸法Ａ（図６参照）が必要となる。従って、キーをその頭部を含めて携帯機本体に格納する携帯機においては、キーの頭部の幅方向の寸法に起因して携帯機の厚みが必要以上に大きくなることがないように、図６に概略的に示すように、キーは携帯機本体の幅方向に対して平行に配置されている（携帯機本体の厚み方向に対してキーの厚み方向を一致させている）。
【０００８】
しかしながら、キーが平行に配置された携帯機では、金属製キーの先端部及び頭部が携帯機本体の幅方向の領域を占めることになるので、携帯機の電波送受信機能が抑圧されやすくなるという不都合が生ずる。また、キーを携帯機本体に対して平行に配置することは、携帯機自体の厚みが、その必要な厚さに対してキーの厚み分だけ増加することになるので、携帯機の携帯性の観点からも理想的な構成ではない。
【０００９】
そこで、本発明は、携帯機の厚みを必要最小限まで低減することが可能であると共に、キーの操作性を確保することが可能であり、しかも携帯機の電波送受信機能を抑圧することがない、携帯性に優れた携帯機の提供を目的とする。
【００１０】
【課題を解決するための手段】
上記目的は、請求項１に記載する如く、細長い先端部、及び、前記先端部の長手方向に垂直な方向に所定の幅を有する頭部を備えたキーと、
前記キーに組み付けられ、略リング状の線材から形成されるリングと、
無線信号を発信する送信部を備え、所定の厚みを有する携帯機本体とを有する携帯機であって、
前記キーが、その頭部の幅方向が前記携帯機本体の厚み方向に対応するように、前記携帯機本体に対して取り外し可能に装着されており、
前記キーが前記携帯機本体から取り外された状態において、前記リングは、該リングの一部が前記キーの頭部を越えて該頭部の幅方向に延在した状態で、前記キーに対して保持されていることを特徴とする、携帯機により達成される。
【００１１】
本発明において、キーシリンダーに挿入して回転操作されるキーは、キーシリンダーに挿入される細長い先端部と、回転操作に際にユーザにより把持される頭部とを有する。本発明では、キーは、その頭部の幅方向が携帯機本体の厚み方向に対応するように、携帯機本体に対して取り外し可能に装着される。従って、本発明によれば、少なくともキーの厚み分だけ携帯機本体の厚みの低減が可能となり、携帯機の携帯性が向上する。また、本発明によれば、携帯機本体の幅方向の領域がキーの厚み分しか占領されないため、キーによる電波遮蔽が最小限に抑えられ、携帯機の電波発信性能が向上する。また、本発明では、キーが携帯機本体から取り外された際、リングの一部がキーの頭部を越えて該頭部の幅方向に延在した状態が保持される。即ち、本発明では、キーの頭部の幅が、キーの頭部を越えて延在するリングの長さ分だけ実質的に増加される。従って、本発明によれば、携帯機本体の厚みに対応させてキーの頭部の幅を小さくした場合であっても、リングを用いてキーの回転操作が可能であり、キーの操作性が悪化することがない。尚、リングは、キーの頭部を越えて該頭部の幅方向に延在する部分を有する限り、キーの頭部の幅方向に必ずしも平行に延在する必要はない。
【００１２】
また、請求項２に記載する如く、前記キーの頭部には、前記先端部の長手方向に沿って所定長さの長穴が形成されており、また、前記リングが、略リング状の線材の両端部を前記長穴の所定長さよりも大きい距離だけ互いに離反させることにより形成されており、更に、前記キーが前記携帯機本体から取り外された状態において、前記リングの両端部が、前記長穴の前記長手方向の両端にそれぞれ保持されていることが好ましい。この場合、リングの両端部は、リング自体の復元力により長穴内で互いに離反する方向に付勢され、最終的に前記長穴の前記長手方向の両端にそれぞれ当接して、当該両端でそれぞれ保持されてことになる。従って、本発明によれば、ユーザによる操作を必要とすることなくリングの弾性（復元力）を利用して、リングがキーに対して所定の向きに方向付けられた状態、即ち、リングの一部がキーの頭部を越えて幅方向に延在した状態を実現・保持することができる。
【００１３】
また、請求項３に記載する如く、前記キーが前記携帯機本体に装着された状態において、前記リングは、少なくとも前記携帯機本体内に部分的に格納されており、また、前記携帯機本体には、前記リングの両端部が前記長穴内で互いに近接するように、前記リングを前記携帯機本体内へと案内するガイド部が形成されていることが好ましい。この場合、キーの頭部と共にリングを携帯機本体内に格納することが可能となり、携帯機の見栄えが向上する。また、本発明では、リングが携帯機本体内に部分的に格納される際、リングの両端部が前記長穴内で互いに近接するようにリングがガイド部により案内される。この際、リングの両端部が互いに近接することで、キーに対するリングの向きが前記所定の向きから変化する。従って、本発明によれば、キーに対するリングの向きを適切に変化させることにより、キー装着状態での携帯機本体の幅が、キーの頭部を越えて延在する前記リングの長さ分に起因して、必要以上に大きくなることを防止することが可能となり、また、リングに通常的なキーホルダーとしての機能を持たせることも可能となる。
【００１４】
尚、キーが携帯機本体に装着された状態から、キーが携帯機本体から取り外されると（即ち、リングに対するガイド部の拘束が解除されると）、リングの両端部が、上述の如く、リング自体の復元力により互いに離反する方向に長穴内を移動し、最終的に再び長穴の長手方向の両端まで到達し、該両端で保持されることになる。この結果、キーに対するリングの向きが前記所定の向きへと復帰する（即ち、キーの頭部の幅が実質的に増加される）。このように、本発明によれば、リングのキーに対する向きが、キー装着状態とキー脱離状態の各状態において変化するので、リングに、キー装着状態ではキーホルダーとしての機能を持たせる一方で、キー脱離状態ではキーの操作性を高める機能を持たせることができる。
【００１５】
また、請求項４に記載する如く、前記キーの頭部の所定の幅が、前記携帯機本体の所定の厚みと略等しい場合には、携帯機の厚さを必要最小限に抑えることができる。
【００１６】
また、請求項５に記載する如く、前記キーが前記携帯機本体に装着された状態において、前記キーの頭部が、前記携帯機本体に形成された凹部に嵌合している場合には、携帯機の見栄えや携帯性が向上する。
【００１７】
【発明の実施の形態】
以下、本発明の好ましい実施例について図面を参照して説明する。
【００１８】
図１は、本発明による携帯機１０の一実施例を示す斜視図である。本実施例の携帯機１０は、樹脂等で形成された携帯機本体１２から構成されている。携帯機本体１２には、トランスポンダ１４、電池１６、スイッチ１８等が内蔵されている。トランスポンダ１４は、電池１６を電力源として動作し、車両側の発信機（図示せず）からのリクエスト信号を受信すると共に、当該リクエスト信号に応答して、所与のＩＤコードを含むワイヤレス信号を車両側の受信機（図示せず）に送信する送受信機能（スマート通信機能）を備えている。
【００１９】
また、トランスポンダ１４は、スイッチ１８が接続状態とされた場合に電池１６を電力源としてワイヤレス信号を車両側の受信機（図示せず）に送信する機能を備えている。尚、スイッチ１８には、ドアをロック／アンロックするためのスイッチや、トランクをロック／アンロックするためのスイッチ等が含まれてよい。
【００２０】
携帯機本体１２は、携帯性や意匠性を考慮した外形（本例では、略矩形の外形）を有しており、所定の厚みＴ１を有している。携帯機本体１２には、キー３０が取り外し可能に装着される。キー３０は、図１に示すように、キーシリンダーやイグニッションシリンダー等に挿入される先端部３２と、キー操作時にユーザが把持する頭部３４とを有している。キー３０の頭部３４の幅Ｗ２は、好ましくは、携帯機１０の見栄えやキー３０の操作性を高めるべく、携帯機本体１２の厚みＴ１と同一である。尚、キー３０の頭部３４は、樹脂を用いたインサート成形により金属製の先端部３２と一体形成される。
【００２１】
キー３０の頭部３４には、キー３０の長手方向に沿って長穴３６が形成されている。この長穴３６には、後に詳説するリング３８が装着される。リング３８は、キー３０が携帯機本体１２に装着された際には、所謂キーホルダーとして機能すると共に、キー３０が携帯機本体１２から取り外された際には、後述する如く、キー３０の操作性を高める役割を果たす。
【００２２】
携帯機本体１２の外周部には、キー３０の頭部３４を収容する凹部２４が形成されている。凹部２４は、携帯機本体１２の厚さ全体に亘り延在している。凹部２４の幅Ｗ３及び深さＨ３は、キー３０の頭部３４の厚さＴ２及び高さＨ２にそれぞれ対応している。凹部２４の底面２４ａからは、キー３０の先端部３２を格納する中空部２１が形成されている。中空部２１は、携帯機本体１２の長手方向に沿って形成されており、キー３０の先端部３２の長さに対応した深さを有している。中空部２１は、その一端が凹部２４の底面２４ａで開口する一方、他端が閉塞されている。また、凹部２４の両側面２４ｂには、キー３０のリング３８を部分的に収容するガイド溝２８がそれぞれ形成されている。ガイド溝２８は、携帯機本体１２の長手方向に沿って形成されており、その一端が携帯機本体１２の側面２０で開口している。尚、ガイド溝２８は、キー３０の頭部３４の長穴３６の位置に略対応した携帯機本体１２の厚み方向の位置に形成されている。
【００２３】
図２（Ａ）は、本実施例のリング３８を示す斜視図であり、図２（Ｂ）は、本実施例のリング３８の上面図であり、図２（Ｃ）は、本実施例のリング３８の側面図である。本実施例のリング３８は、弾性を有する線状の材料（例えば、コイルスプリングに用いる一般的な鋼線）を略リング状に形成することにより構成される。リング３８は、閉じたリング形状ではなく、両端が開いたリング形状を有する。リング３８の両端には、キー３０の頭部３４の長穴３６からの離脱を防止するためのフック部３８ａが形成されてよい。
【００２４】
リング３８は、図２（Ｂ）に示すように、上面視では略リング状の形態を有する一方で、図２（Ｃ）に示すように、側面視では一方の端部が他方の端部から所定距離αだけ離間している。従って、リング３８は、その一方の端部が他方の端部に拘束されることで、弾性変形した状態で略閉じたリング形状を保持する（即ち、所定距離αが略ゼロになる）一方で、当該拘束を解除すると、元の状態（両端が所定距離αだけ離間した状態）に弾性的に復帰するように構成されている。
【００２５】
図３は、キー３０に装着された状態のリング３８を示す斜視図である。リング３８は、その両端部をキー３０の頭部３４の長穴３６にそれぞれ対向する方向から嵌め込むことにより、キー３０に組み付けられる。このとき、リング３８は、その両端部が互いに近接する方向に変形することになる。即ち、リング３８の両端間の距離が上述の所定距離αより小さくなる。従って、長穴３６にリング３８の両端部が嵌め込まれると、リング３８の両端が復元力により長穴３６内で互いに離反する方向に移動しようとする（即ち、両端が互いに所定距離αまで離反しようとする）。このため、最終的には、リング３８の両端部は、最も安定する位置、即ち、長穴３６内で最も互いに離間した位置に到達し、当該位置で保持されることになる。この結果、リング３８は、図３に示すように、キー３０の長手方向に対して垂直な向きに保持されることになる。尚、この目的のため、初期状態でのリング３８の両端の離間距離αは、長穴３６の長手方向の寸法より大きな適切な値に設定されている。
【００２６】
次に、図１と共に図４を参照して、本実施例のキー３０の携帯機本体１２への着脱態様について説明する。図４（Ａ）は、キー３０が格納された携帯機本体１２を示す斜視図である。本実施例のキー３０は、図１に示すように、携帯機本体１２に対して平行でなく垂直に装着される。即ち、キー３０は、その幅方向が携帯機本体１２の厚み方向に対応する態様で、携帯機本体１２に装着される。キー３０の携帯機本体１２への装着は、キー３０の先端部３２を携帯機本体１２の中空部２１に挿入し、キー３０の頭部３４の下面が凹部２４の底面２４ａに当接した時点で完了する。
【００２７】
この装着中、キー３０のリング３８は、図４に示すように、凹部２４のガイド溝２８に案内されることにより、その向きが強制的に略９０度回転させられる。従って、リング３８は、図４に示す装着状態においては、その両端部が長穴３６内で互いに近接した状態でガイド溝２８に保持されている（図４（Ｂ）参照）。このため、リング３８は、図４に示す装着状態において、所謂キーホルダーとして機能すると共に、その復元力により携帯機本体１２からのキー３０の脱離を防止する役割を果たす。但し、携帯機本体１２からのキー３０の脱離を確実に防止するために、携帯機本体１２に適切なロック機構を設けてもよい。
【００２８】
ところで、本実施例の携帯機１０は、上述の如く、電池１６を電力源として車両側の送受信機との間で通信（スマート通信）を行うだけで、車両のドアロックの施錠又は解錠、トランクのロック機構の施錠又は解錠、イモビライザ機能のセット又は解除、ステアリングのロック又はアンロック、エンジンの始動又は停止等の各種機能を実現することが可能である。従って、ユーザは、通常的には、携帯機本体１２からキー３０を取り出すことなく、上述の各種機能を実現することが可能である。
【００２９】
特にこのようなスマートキーシステムにおいては、キー３０の使用頻度が低く逆に通信頻度が高いゆえに、キー３０は、携帯機１０の携帯性、見栄え及び電波発信性能を損なわないような態様で携帯機本体１２に着脱可能に設けられることが望ましい。これに対して、本実施例では、キー３０は、上述の如く、携帯機本体１２に対して垂直に装着されており、また、キー３０の頭部３４の幅Ｗ２が携帯機本体１２の厚みＴ１と同一に設定されている。従って、本実施例によれば、携帯機本体１２の厚みを必要以上に大きくすることなく、携帯機本体１２にキー３０を格納することができる。この結果、本実施例によれば、携帯機本体１２の厚みを必要最小限に抑えることが可能となり、携帯機１０の携帯性が向上する。
【００３０】
また、本実施例では、キー３０の先端部３２が携帯機本体１２内に完全に収容され、且つ、キー３０の頭部３４の形状が携帯機本体１２の凹部２４に形状に対応している。従って、本実施例によれば、携帯機本体１２の意匠を損なうことなく、携帯機本体１２にキー３０を格納することができる。また、本実施例によれば、ユーザが携帯機１０を例えばポケット内に所持している場合等に、キー３０の先端部３２がユーザの体に当たり携帯機１０の携帯性が悪化するといった不都合もない。
【００３１】
また、携帯機１０に電波の送受信機能を効果的に発揮させるためには、携帯機本体１２の幅方向の領域に電波を遮断する金属物を可能な限り設けないことが望ましい。これに対して、本実施例では、キー３０が携帯機本体１２に対して垂直に装着されているので、金属製のキー３０が占める携帯機本体１２の幅方向の領域は必要最小限（即ち、キー３０の厚み分だけ）に抑えられる。従って、本実施例によれば、キー３０による電波の遮断が最小限に抑えられ、携帯機１０の電波送受信性能が向上する。
【００３２】
一方、ユーザは、携帯機１０による通信が不能となった場合（例えば電池１６が切れた場合）等に、非常手段としてキー３０を用いることになる。この場合、ユーザは、携帯機本体１２から取り出したキー３０を例えばキーシリンダーに差し込んで回転させる必要がある。この際、ユーザは、キー３０の頭部３４を指で摘んでキー３０を回転させることになる。このときの操作性を保証するためには、キー３０の頭部３４には、ユーザが指で容易にキー３０に回転トルクを付与できるように、ある一定の幅を持たせる必要がある。
【００３３】
これに対して、本実施例では、上述の如く、キー３０が携帯機本体１２に対して垂直に装着される（即ち、キー３０の幅方向と携帯機本体１２の厚み方向が対応している）。このため、本実施例では、キー３０の頭部３４には、携帯機本体１２の厚みＴ１を最大とする幅Ｗ２しか持たせることができない。換言すると、本実施例では、キー３０の頭部３４の小さい幅方向の寸法に起因して、キー３０の頭部３４を指で摘んでキー３０を回転させる操作に対しては、操作性が良好でない。
【００３４】
しかしながら、本実施例では、上述の如く、キー３０が携帯機本体１２から取り出されると、キー３０のリング３８は、その向きがキー３０の長手方向に対して平行な向き（図４参照）から垂直な向き（図１参照）まで変化する。これは、上述の如く、キー３０のリング３８が、携帯機本体１２のガイド溝２８から脱離した際のリング３８の復元力により、リング３８の両端が長穴３６内で最も互いに離間した位置に到達し、当該位置で保持されることによる。この結果、この状態（リング３８の組み付け状態でもある）では、図１に示すように、リング３８の一部（少なくともループ部３８ａ）が、キー３０の頭部３４をその幅方向で越えた位置まで延在することになる。即ち、キー３０のリング３８は、キー３０の頭部３４の小さい幅方向の寸法を実質的に補償して、キー３０の頭部３４の幅Ｗ２を実質的に増加させる機能を果たす。
【００３５】
従って、本実施例によれば、図５に示すように、ユーザは、キー３０のリング３８を用いて、キー３０を例えばキーシリンダーに差し込んで容易に回転させることが可能となる（例えば、キー３０の頭部３４を親指で押しながら、リング３８のループ部３８ａを薬指等で回転方向に回すことで、キー３０を容易に回転させることが可能である）。即ち、本実施例によれば、キー３０のリング３８によりキー３０の頭部３４の幅Ｗ２が、キー３０の頭部３４を越えて延在するリング３８の長さ分Ｗ４（図５参照）だけ実質的に増加されるので、ユーザによるキー３０への回転トルクの付与が容易となる。
【００３６】
以上説明したように、本実施例によれば、キー３０を携帯機本体１２に対して垂直に装着することにより、キー３０を携帯機本体１２に対して平行に装着する場合に比して、少なくともキー３０の厚み分だけ携帯機１０の厚みを低減することができる。これにより、携帯機１０の携帯性が向上する。また、キー３０を携帯機本体１２に対して垂直に装着することにより、キー３０を携帯機本体１２に対して平行に装着する場合に比して、携帯機１０と車両側との間の通信のための主要電波経路が効率的に確保されるため、携帯機１０の電波発信性能が向上する。
【００３７】
また、キー３０を携帯機本体１２に対して垂直に装着することに対応して、キー３０の頭部３４の幅Ｗ２を小さく設定することにより、キー３０の小型化が実現され、携帯機１０の重量の低減が可能となる。更に、キー３０の頭部３４の幅Ｗ２を小さく設定した場合であっても、リング３８がキー３０の頭部３４の幅Ｗ２を実質的に増加させる役割を果たすため、非常用のキー３０の操作性が悪化することもない。
【００３８】
以上、本発明の好ましい実施例について詳説したが、本発明は、上述した実施例に制限されることはなく、本発明の範囲を逸脱することなく、上述した実施例に種々の変形及び置換を加えることができる。
【００３９】
例えば、上述した実施例では、携帯機本体１２に対して垂直に装着されるキー３０の操作性を可能な限り高めるべく、キー３０の頭部３４の幅Ｗ２が携帯機本体１２の厚みＴ１と略同一の値に設定されているが、キー３０の頭部３４がリング３８と協働して適切なキー３０の操作性を確保できる限り、キー３０の頭部３４の幅Ｗ２が携帯機本体１２の厚みＴ１よりも小さい値であってもよい。従って、キー３０の頭部３４を、携帯機本体１２に完全に収容する（即ち、携帯機本体１２の外部から見えない状態で収容する）ことも可能である。
【００４０】
また、上述した実施例では、リング３８は、その向きがキー３０の長手方向に対して垂直な向きにキー３０に保持されているが、キー３０の頭部３４と協働して適切なキー３０の操作性を確保できる限り、キー３０の長手方向に対するリング３８の向きは、９０度以外の角度（例えば、７０度〜９０度）であってもよい。即ち、リング３８が、頭部３４の幅方向にある一定角度をなして延在する場合であっても、リング３８の一部がキー３０の頭部３４を越えて頭部３４の幅方向にある一定角度をなして延在することで、キー３０の頭部３４の幅Ｗ２が実質的に増加される限り、キー３０の長手方向に対するリング３８の向きは任意である。
【００４１】
また、上述した実施例では、リング３８は、キー３０の頭部３４の幅Ｗ２を効率的に増加させるため、完全なリング状でなく、頭部３４の幅Ｗ２よりも僅かに大きい幅を有する細長いリング状の形態を有しているが、リング３８の形状は、キー３０が携帯機本体１２から取り出された際にキー３０の頭部３４の幅Ｗ２を実質的に増加できる限り、矩形や楕円形を含む任意の形状であってよい。
【００４２】
また、上述した実施例では、リング３８の両端は、キー３０の頭部３４の長穴３６内で長手方向に移動できる構成であったが、リング３８の一端を回転のみ拘束する態様で長穴３６に装着する構成も可能である。また、リング３８の回転に伴うリング３８のフック部３８ａの摺動経路を確保するため、キー３０の頭部３４に、長穴３６の周部に沿ってフック部３８ａが摺動する摺動溝を凹設することも可能である。
【００４３】
また、上述した実施例では、携帯機１０は、車両で用いられる車両用携帯機として例示されているが、本発明は、携帯機本体にキーが着脱可能に設けられた携帯機であればその用途を特に限定するものでなく、例えば住居のドアの施錠又は解錠を実現する住居用の携帯機においても適用可能である。
【００４４】
［付記］
細長い先端部、及び、前記先端部の長手方向に垂直な方向に所定の幅を有する頭部を備えたキーと、
略リング状の線材から形成されるリングと、
無線信号を発信する送信部を備え、所定の厚みを有する携帯機本体とを有する携帯機であって、
前記キーが、その頭部の幅方向が前記携帯機本体の厚み方向に対応するように、前記携帯機本体に対して取り外し可能に装着されており、
前記リングは、前記キーの頭部の幅方向に延在する向きとなるように、付勢された状態で前記キーに装着されていることを特徴とする、携帯機。
【００４５】
【発明の効果】
本発明は、以上説明したようなものであるから、以下に記載されるような効果を奏する。即ち、本発明によれば、携帯機の厚みを必要最小限まで低減することができると共に、キーの操作性を確保することができる。また、本発明によれば、携帯機の電波送受信機能が向上する。
【図面の簡単な説明】
【図１】本発明による携帯機１０の一実施例（キー３０の装着前の状態）を示す斜視図である。
【図２】図２（Ａ）は、本実施例のリング３８を示す斜視図であり、図２（Ｂ）は、本実施例のリング３８の上面図であり、図２（Ｃ）は、本実施例のリング３８の側面図である。
【図３】キー３０に装着された状態のリング３８を示す斜視図である。
【図４】図４（Ａ）は、図１の携帯機１０のキー３０の装着後の状態を示す斜視図であり、図４（Ｂ）は、携帯機本体１２内部でのキー３０のリング３８の状態を示す斜視図である。
【図５】キー３０の使用状態の説明図である。
【図６】本発明の対照となる従来技術による、キーが携帯機本体の幅方向に対して平行に配置されている携帯機を示す斜視図である。
【符号の説明】
１０    携帯機
１２    携帯機本体
１４    トランスポンダ
１６    電池
１８    スイッチ
２０    携帯機本体の側面
２１    中空部
２４    凹部
２４ａ    凹部の底面
２４ｂ    凹部の側面
２８    ガイド溝
３０    キー
３２    先端部
３４    頭部
３６    長穴
３８    リング
【図１】
2004278182.tif 000003
【図２】
2004278182.tif 000004
【図３】
2004278182.tif 000005
【図４】
2004278182.tif 000006
【図５】
2004278182.tif 000007
【図６】
2004278182.tif 000008